(57)【要約】【課題】凝縮器用フィルタに付着した塵埃物を除去するメンテナンス作業の作業時間の短縮化を図ること。【解決手段】ケース本体１０内部の機械室１０ｂに設置され、機械室１０ｂと区画された収納庫１１の内部雰囲気を冷却する冷却ユニット２０を構成する凝縮器２３と、機械室１０ｂの前面開口１８を閉塞する態様でケース本体１０に着脱可能に配設され、複数の通風孔３１が形成されたキックプレート３０と、機械室１０ｂに設置され、駆動する場合に通風孔３１を通過する外気を凝縮器２３に送出させる庫外ファン４１と、凝縮器２３の前方域に配設され、凝縮器２３の目詰まりを抑制するための凝縮器用フィルタ４２とを備え、収納庫１１に収納する商品を所望の温度状態に保持する商品収納装置において、凝縮器用フィルタ４２は、金属製の薄板部材４２ａに複数の通過孔４２ｂが形成されて構成されたものである。【選択図】図１
2019115556.tif 000002
【特許請求の範囲】
【請求項１】
装置本体内部の機械室に設置され、かつ該機械室と区画された収納庫の内部雰囲気を冷却する冷却ユニットを構成する凝縮器と、
前記機械室の前面開口を閉塞する態様で前記装置本体に着脱可能に配設され、かつ複数の通風孔が形成されたキックプレートと、
前記機械室に設置され、駆動する場合に前記通風孔を通過する外気を前記凝縮器に送出させる庫外ファンと、
前記凝縮器の前方域に配設され、かつ該凝縮器の目詰まりを抑制するための凝縮器用フィルタと
を備え、前記収納庫に収納する商品を所望の温度状態に保持する商品収納装置において、
前記凝縮器用フィルタは、金属製の薄板部材に複数の通過孔が形成されて構成されたことを特徴とする商品収納装置。
【請求項２】
前記庫外ファンは、正逆回転可能であり、正回転駆動する場合には、前記通風孔を通過する外気を前記凝縮器に送出させる一方、逆回転駆動する場合には、前記凝縮器の周囲の空気を前方に向けて送出させることを特徴とする請求項１に記載の商品収納装置。
【請求項３】
前記通過孔は、多角形状を成すことを特徴とする請求項１又は請求項２に記載の商品収納装置。
【請求項４】
前記通過孔は、前記薄板部材にエッチング処理を施すことにより形成されたことを特徴とする請求項１〜３のいずれか１つに記載の商品収納装置。
【請求項５】
前記庫外ファンは、前記逆回転駆動する場合には、前記正回転駆動する場合よりも回転数が低減することを特徴とする請求項２〜４のいずれか１つに記載の商品収納装置。
【発明の詳細な説明】
【技術分野】
【０００１】
本発明は、商品収納装置に関し、より詳細には、収納する商品を所望の温度状態に保持するショーケース等の商品収納装置に関するものである。
【背景技術】
【０００２】
従来、収納する商品を所望の温度状態に保持する商品収納装置として所謂ショーケースが知られており、かかるショーケースは、ケース本体の内部に収納庫及び機械室を備えている。
【０００３】
収納庫は、複数の商品載置棚が上下方向に沿って複数段設けられた室である。それぞれの商品載置棚には、商品が載置されており、これにより、収納庫は商品を収納するものである。
【０００４】
機械室は、収納室と区画されており、収納庫の内部雰囲気を冷却するための冷却ユニットを構成する凝縮器等の冷凍機器が設置されている。この機械室は、前面開口がケース本体に着脱可能に設けられたキックプレートに閉塞されており、庫外ファン及び凝縮器用フィルタが設けられている。
【０００５】
庫外ファンは、駆動する場合に、キックプレートに形成された通風孔より外気を取り込み、取り込んだ外気を凝縮器に送出することで、該凝縮器での熱交換を促進させるものである。凝縮器用フィルタは、凝縮器の前方域に設置されており、上記通風孔を通過する外気の塵埃物を捕獲するもので、凝縮器の目詰まりを抑制するものである。
【０００６】
そして、上記ショーケースにおいては、凝縮器用フィルタに付着した塵埃物を除去するメンテナンス作業を容易なものとするべく、上記庫外ファンを逆回転駆動させて凝縮器の周囲の空気を前方に向けて送出するようにしたものが知られている（例えば、特許文献１参照）。
【先行技術文献】
【特許文献】
【０００７】
【特許文献１】特許第５２４６７５３号公報
【発明の概要】
【発明が解決しようとする課題】
【０００８】
ところで、上記ショーケースにおいては、凝縮器用フィルタとして網目構造を有する繊維状のものが用いられるのが一般的であり、庫外ファンを逆回転駆動させて該凝縮器用フィルタに付着した塵埃物を除去する場合に次のような問題があった。
【０００９】
すなわち、凝縮器用フィルタに付着した塵埃物を除去するには十分な風量を必要とするため、逆回転駆動する庫外ファンの駆動時間の長大化、すなわちメンテナンス作業の作業時間の長大化を招いていた。このようなメンテナンス作業の作業時間の長大化は、キックプレートの通風孔から前方に向けて空気が長時間に亘って吹き出されることとなり、該ショーケースの前方にいる店舗の顧客に不快な思いを与えることとなり、好ましくない。
【００１０】
本発明は、上記実情に鑑みて、凝縮器用フィルタに付着した塵埃物を除去するメンテナンス作業の作業時間の短縮化を図ることができる商品収納装置を提供することを目的とする。
【課題を解決するための手段】
【００１１】
上記目的を達成するために、本発明に係る商品収納装置は、装置本体内部の機械室に設置され、かつ該機械室と区画された収納庫の内部雰囲気を冷却する冷却ユニットを構成する凝縮器と、前記機械室の前面開口を閉塞する態様で前記装置本体に着脱可能に配設され、かつ複数の通風孔が形成されたキックプレートと、前記機械室に設置され、駆動する場合に前記通風孔を通過する外気を前記凝縮器に送出させる庫外ファンと、前記凝縮器の前方域に配設され、かつ該凝縮器の目詰まりを抑制するための凝縮器用フィルタとを備え、前記収納庫に収納する商品を所望の温度状態に保持する商品収納装置において、前記凝縮器用フィルタは、金属製の薄板部材に複数の通過孔が形成されて構成されたことを特徴とする。
【００１２】
また本発明は、上記商品収納装置において、前記庫外ファンは、正逆回転可能であり、正回転駆動する場合には、前記通風孔を通過する外気を前記凝縮器に送出させる一方、逆回転駆動する場合には、前記凝縮器の周囲の空気を前方に向けて送出させることを特徴とする。
【００１３】
また本発明は、上記商品収納装置において、前記通過孔は、多角形状を成すことを特徴とする。
【００１４】
また本発明は、上記商品収納装置において、前記通過孔は、前記薄板部材にエッチング処理を施すことにより形成されたことを特徴とする。
【００１５】
また本発明は、上記商品収納装置において、前記庫外ファンは、前記逆回転駆動する場合には、前記正回転駆動する場合よりも回転数が低減することを特徴とする。
【発明の効果】
【００１６】
本発明によれば、凝縮器用フィルタが金属製の薄板部材に複数の通過孔が形成されて構成されているので、従来のような網目構造を有する繊維状のものよりも容易に付着した塵埃物を除去することができ、これにより、凝縮器用フィルタ４２に付着した塵埃物を除去するメンテナンス作業の作業時間の短縮化を図ることができるという効果を奏する。
【図面の簡単な説明】
【００１７】
【図１】図１は、本発明の実施の形態である商品収納装置を模式的に示す断面側面図である。
【図２】図２は、本発明の実施の形態である商品収納装置の特徴的な制御系を示すブロック図である。
【図３】図３は、図１に示したキックプレートを示す正面図である。
【図４】図４は、図１に示した凝縮器用フィルタを示す説明図である。
【図５】図５は、図２に示した制御部が実施する付着物除去制御処理の処理内容を示すフローチャートである。
【図６】図６は、本発明の実施の形態である商品収納装置の変形例の要部を示す説明図である。
【発明を実施するための形態】
【００１８】
以下に添付図面を参照して、本発明に係る商品収納装置の好適な実施の形態について詳細に説明する。
【００１９】
図１及び図２は、それぞれ本発明の実施の形態である商品収納装置を模式的に示すものであり、図１は、断面側面図であり、図２は、特徴的な制御系を示すブロック図である。ここで例示する商品収納装置は、例えばコンビニエンスストアやスーパーマーケット等の店舗に設置されるショーケースであり、装置本体であるケース本体１０を備えている。
【００２０】
ケース本体１０は、略直方状の筐体であり、断熱構造を有する収容室１０ａと、該収容室１０ａの下方域に形成された機械室１０ｂとを有している。収容室１０ａは、前面に開口（以下、前方開口ともいう）１０ａ１が形成され、その内部には収納庫１１が画成されているとともに、空気循環手段１２が設けられている。
【００２１】
収納庫１１は、上記前方開口１０ａ１を臨む態様で画成されており、複数の商品載置棚１３が上下方向に沿って複数段並べて配設されている。
【００２２】
空気循環手段１２は、空気通路１４と循環ファン１５とを備えて構成されている。空気通路１４は、吸込口１６から吹出口１７に至る空気の通路である。ここで吸込口１６は、収納庫１１の内部の空気を吸い込むための開口であり、収納庫１１の左右方向に沿って延設されている。この吸込口１６は、収納庫１１の下側前方縁部、すなわちケース本体１０の前方開口１０ａ１近傍の下部に配設されている。吹出口１７は、収納庫１１の内部に空気を吹き出すための開口である。この吹出口１７は、収納庫１１の左右方向に沿って延設してあり、収納庫１１の上側前方縁部、すなわちケース本体１０の前方開口１０ａ１近傍の上部に配設されている。
【００２３】
このような空気通路１４は、収納庫１１の外部であってその下方にある下方ダクト１４ａと、収納庫１１の外部であってその背面側にある背面ダクト１４ｂと、収納庫１１の外部であってその上方にある上方ダクト１４ｃとを互いに連通した態様で構成されている。
【００２４】
循環ファン１５は、下方ダクト１４ａの所定部位に配設されている。本実施の形態においては、循環ファン１５は、下方ダクト１４ａの所定部位に配設されているが、本発明では、循環ファン１５の配設部位は特に限定されるものではなく、循環ファン１５の機能を発揮することができる個所であればどの部位に配設しても構わない。かかる循環ファン１５は、循環ファンモータ１５ａが後述する制御部５０から与えられる指令により駆動することにより、回転駆動するものである。
【００２５】
このような空気循環手段１２においては、循環ファン１５が回転駆動することにより吸込口１６を通じて収納庫１１の内部にある空気を吸い込み、吸い込んだ空気が空気通路１４を通過する態様で吹出口１７まで送出し、吹出口１７を通じて送出した空気を収納庫１１の内部に吹き出すことにより、収納庫１１の内部と外部との間で空気を循環させるものである。
【００２６】
上記制御部５０は、メモリ５１に記憶されたプログラムやデータに従ってショーケースの各部の動作を統括的に制御するものである。尚、制御部５０は、例えば、ＣＰＵ（Ｃｅｎｔｒａｌ  Ｐｒｏｃｅｓｓｉｎｇ  Ｕｎｉｔ）等の処理装置にプログラムを実行させること、すなわち、ソフトウェアにより実現してもよいし、ＩＣ（Ｉｎｔｅｇｒａｔｅｄ  Ｃｉｒｃｕｉｔ）等のハードウェアにより実現してもよいし、ソフトウェア及びハードウェアを併用して実現してもよい。
【００２７】
上記空気通路１４の背面ダクト１４ｂには、蒸発器２１が設けられている。蒸発器２１は、機械室１０ｂに配設された圧縮機２２及び凝縮器２３等の冷凍機器とともに冷媒を循環させることで収納庫１１の内部雰囲気を冷却する冷却ユニット２０を構成している。
【００２８】
ここで圧縮機２２は、冷媒を圧縮するものであり、凝縮器２３は、圧縮機２２で圧縮された冷媒を凝縮させるものである。この凝縮器２３で凝縮した冷媒は、図示せぬ膨張機構で断熱膨張されて低温低圧の状態にされる。
【００２９】
蒸発器２１は、循環ファン１５が回転駆動することにより背面ダクト１４ｂを下方から上方に向けて通過する空気と、膨張機構で断熱膨張された冷媒とを熱交換させるもの、より詳細には、冷媒を蒸発させることにより背面ダクト１４ｂ（空気通路１４）を通過する空気を冷却するものである。この蒸発器２１で蒸発した冷媒は、再び圧縮機２２に戻り圧縮されることになる。
【００３０】
機械室１０ｂは、収容室１０ａの下方域において上記収納庫１１を含む該収容室１０ａと区画されて設けられている。この機械室１０ｂの前面には開口（以下、前面開口ともいう）１８が形成されており、かかる前面開口１８はキックプレート３０により閉塞されている。また機械室１０ｂには、庫外ファン４１及び凝縮器用フィルタ４２が設けられている。
【００３１】
キックプレート３０は、例えば鋼板等を加工することにより構成された板状部材であり、ケース本体１０に対して着脱可能に設けられている。このキックプレート３０は、ケース本体１０に装着される場合に、機械室１０ｂの前面開口１８を閉塞するものである。かかるキックプレート３０は、図３に示すように、通風孔３１を備えている。
【００３２】
通風孔３１は、キックプレート３０における通風領域３２に複数形成されている。通風領域３２は、凝縮器２３の前方側に位置する領域であり、より詳細には凝縮器２３に対向する領域である。
【００３３】
庫外ファン４１は、凝縮器２３の後方側に設けられている。この庫外ファン４１は、庫外ファンモータ４１ａが制御部５０から与えられる指令により駆動することにより、回転駆動するものである。
【００３４】
本実施の形態において庫外ファン４１は、正逆回転可能なものであり、制御部５０から正回転駆動指令が庫外ファンモータ４１ａに送出されることで、該庫外ファン４１が正転駆動することにより庫外ファン４１は正回転駆動する。一方、制御部５０から逆回転駆動指令が庫外ファンモータ４１ａに送出されることで、該庫外ファン４１が逆転駆動することにより庫外ファン４１は逆回転駆動する。
【００３５】
この庫外ファン４１は、正回転駆動する場合には、凝縮器２３に対して通風孔３１を通過する外気を凝縮器２３に送出させる一方、逆回転駆動する場合には、凝縮器２３の周囲の空気を前方に向けて送出させるものである。
【００３６】
凝縮器用フィルタ４２は、凝縮器２３の前面を覆うのに十分な大きさを有しており、該凝縮器２３の前方域に設けられている。ここで凝縮器用フィルタ４２の設置であるが、凝縮器２３の前方域に配設されているのであれば、庫外ファン４１を収容する図示せぬファンケースに支持されていてもよいし、キックプレート３０の後面に設けられた図示せぬ支持部に支持されていてもよい。
【００３７】
この凝縮器用フィルタ４２は、図４に示すように、例えばステンレス等の金属製の薄板部材４２ａの略全域に亘って複数の通過孔４２ｂが互いに近接して形成されて構成されている。これら通過孔４２ｂは、例えば六角形や八角形等の多角形状、あるいは丸形状を成しており、本実施の形態では正六角形状を成している。また通過孔４２ｂの開口面積は、例えば１ｍｍ２以下の大きさとされている。
【００３８】
このような通過孔４２ｂは、パンチング等の物理的な加工により形成されるものではなく、次のようなエッチング処理が施されることにより化学的処理にて形成される。すなわち、例えばステンレス等の金属製の薄板部材４２ａに対して通過孔４２ｂを形成する部分を除く部位にマスキングによる防食処理を行い、防食処理を行った薄板部材４２ａを例えば塩化第二鉄等の腐食液に浸漬させることで不要部分を除去して通過孔４２ｂが形成される。その後通過孔４２ｂが形成された薄板部材４２ａを洗浄等することにより、凝縮器用フィルタ４２が構成される。
【００３９】
このようなショーケースは、上記構成の他に、清掃ボタン６０が設けられている。清掃ボタン６０は、装置本体の前面の所定部位に設けられている。この清掃ボタン６０は、押下操作されることにより、内蔵するスイッチ６０ａがオン状態となって、オン信号を制御部５０に与える入力手段である。
【００４０】
以上のような構成を有するショーケースにおいては、制御部５０が圧縮機２２に駆動指令を与えて駆動させつつ、循環ファンモータ１５ａに対して駆動指令を与えて循環ファン１５を回転駆動させ、更に庫外ファンモータ４１ａに対して正回転駆動指令を与えて庫外ファン４１を回転駆動させることで、空気循環手段１２において収納庫１１の内部の空気が収納庫１１と空気通路１４との間を循環し、しかも蒸発器２１により空気通路１４を通過中の空気が冷却されることで、収納庫１１の内部雰囲気が冷却され、各商品載置棚１３に載置された商品が所望の温度に冷却されて保持される。
【００４１】
そして、庫外ファン４１の正回転駆動により、通風孔３１から機械室１０ｂに進入した外気が凝縮器用フィルタ４２の通過孔４２ｂを通過して後方に向けて送出されることで、凝縮器２３での熱交換を促進させることができ、しかも凝縮器用フィルタ４２が外気に含まれる塵埃物を自身に付着させることで凝縮器２３の目詰まりを抑制することができる。
【００４２】
図５は、図２に示した制御部５０が実施する付着物除去制御処理の処理内容を示すフローチャートである。
【００４３】
この付着物除去制御処理において制御部５０は、清掃ボタン６０からのオン信号の入力待ちとなる（ステップＳ１０１）。店舗の従業員等のオペレータが清掃ボタン６０を押下操作することで与えられたオン信号を入力した場合（ステップＳ１０１：Ｙｅｓ）、制御部５０は、庫外ファンモータ４１ａに対して逆回転駆動指令を送出するとともに回転数低減指令を送出し（ステップＳ１０２，ステップＳ１０３）、予め決められた所定時間（例えば５〜３０秒間等）の経過待ちとなる（ステップＳ１０４）。
【００４４】
つまり、制御部５０は、所定時間が経過するまで、庫外ファン４１を正回転駆動する場合よりも回転数が例えば１０〜５０％低減した状態で逆回転駆動させる。これにより、凝縮器２３の周囲の空気が前方に向けて送出され、凝縮器用フィルタ４２の通過孔４２ｂを空気が後方から前方に向けて通過することで、該通過孔４２ｂに付着した塵埃物を除去することができる。
【００４５】
所定時間が経過した場合（ステップＳ１０４：Ｙｅｓ）、制御部５０は、庫外ファンモータ４１ａに対して逆回転駆動停止指令を送出し（ステップＳ１０５）、その後に手順をリターンさせて今回の処理を終了する。
【００４６】
これによれば、所定時間だけ庫外ファン４１を逆回転駆動するだけで凝縮器用フィルタ４２に付着した塵埃物を除去することができる。その後、制御部５０が再び庫外ファンモータ４１ａに対して正回転駆動指令及び回転数増大指令を送出することで、収納庫１１の内部雰囲気の冷却する運転を継続することができる。
【００４７】
以上説明したように、本実施の形態であるショーケースによれば、凝縮器用フィルタ４２が金属製の薄板部材４２ａに複数の通過孔４２ｂが形成されて構成されているので、従来のような網目構造を有する繊維状のものよりも容易に付着した塵埃物を除去することができ、これにより、凝縮器用フィルタ４２に付着した塵埃物を除去するメンテナンス作業の作業時間の短縮化を図ることができる。
【００４８】
しかも、庫外ファン４１が逆回転駆動する場合には、凝縮器２３の周囲の空気を前方に向けて送出させるので、かかる庫外ファン４１を所定時間だけ逆回転駆動させるだけで、凝縮器用フィルタ４２に付着した塵埃物を除去できる。従って、通風孔３１から前方に向けて吹き出される空気量も僅かであり、店舗の顧客に不快な思いをさせる虞れがない。
【００４９】
特に、上記付着物除去制御処理のように、庫外ファン４１が逆回転駆動する場合には、該庫外ファン４１の回転数を正回転駆動時よりも低減させているので、通風孔３１から吹き出される空気の風速を小さくでき、これによっても、店舗の顧客に不快な思いをさせる虞れがない。
【００５０】
上記ショーケースによれば、凝縮器用フィルタ４２を構成する通風孔３１は、エッチング処理が施されることにより形成されているので、通風孔３１の開口縁部に抜きダレ等が形成されることを防止でき、これによっても、付着した塵埃物を容易に除去することができる。
【００５１】
上記ショーケースによれば、清掃ボタン６０が押下操作されることにより所定時間だけ庫外ファン４１を逆回転駆動させて凝縮器用フィルタ４２に付着した塵埃物を除去するので、収納庫１１の内部雰囲気を冷却する冷却運転中にでも実施することができる。
【００５２】
以上、本発明の好適な実施の形態について説明したが、本発明はこれに限定されるものではなく、種々の変更を行うことができる。
【００５３】
上述した実施の形態においては、凝縮器２３の後方側に設けられていた庫外ファン４１を逆回転駆動させて凝縮器用フィルタ４２に付着した塵埃物を除去するようにしていたが、本発明においては、次のようにしてもよい。
【００５４】
すなわち、図６に示すように、凝縮器用フィルタ４２の側方（例えば右方）に除去用ファン７０を設置し、塵埃物を除去する際に、庫外ファン４１′を駆動停止にさせて除去用ファン７０を駆動させることにより、凝縮器用フィルタ４２に付着した塵埃物を除去するようにしてもよい。この場合には、庫外ファン４１′は、正回転駆動のみ可能なものでよく、しかも通風孔３１を通じて前方に塵埃物が飛散することを抑制することができる。尚、図６では、除去用ファン７０を凝縮器用フィルタ４２の右方に設置した場合を例示したが、本発明においては、除去用ファンを凝縮器用フィルタの左方に設置してもよいし、上方に設置してもよい。
【００５５】
上述した実施の形態においては、清掃ボタン６０が押下操作されることにより、庫外ファン４１を逆回転駆動させて凝縮器用フィルタ４２に付着した塵埃物を除去するようにしていたが、本発明においては、次のようにしてもよい。
【００５６】
すなわち、予め決められたタイムスケジュールに従って庫外ファン４１を逆回転駆動させて塵埃物を除去してもよいし、蒸発器２１に付着した霜を除去するための除霜運転を行う際に庫外ファン４１を逆回転駆動させて塵埃物を除去してもよい。あるいは、収納庫１１の内部温度が予め決められた温度以上となる場合や正回転駆動する庫外ファン４１の風量が予め決められた閾値以下となる場合に、庫外ファン４１を逆回転駆動させて塵埃物を除去してもよい。
【００５７】
これによれば、清掃ボタン等の入力手段を設置しなくても塵埃物を除去するメンテナンス作業を行うことができ、部品点数の増大に伴う製造コストの増大化を抑制することができる。
【００５８】
また、本発明においては、商品収納装置に人感センサを設置し、かかる人感センサが人を検知しないタイミングで庫外ファンを逆回転駆動させて凝縮器用フィルタに付着した塵埃物を除去するようにしてもよい。
【００５９】
これによれば、人が装置本体の前方にいる場合に、庫外ファンを逆回転駆動させることがないので、店舗の顧客に不快な思いをさせることを防止することができる。
【符号の説明】
【００６０】
１０  ケース本体（装置本体）
１０ａ  収容室
１０ｂ  機械室
１１  収納庫
１２  空気循環手段
１３  商品載置棚
１４  空気通路
１５  循環ファン
１５ａ  循環ファンモータ
１６  吸込口
１７  吹出口
１８  前面開口
２０  冷却ユニット
２１  蒸発器
２２  圧縮機
２３  凝縮器
３０  キックプレート
３１  通風孔
３２  通風領域
４１  庫外ファン
４１ａ  庫外ファンモータ
４２  凝縮器用フィルタ
４２ａ  薄板部材
４２ｂ  通過孔
５０  制御部
６０  清掃ボタン
【図１】
2019115556.tif 000003
【図２】
2019115556.tif 000004
【図３】
2019115556.tif 000005
【図４】
2019115556.tif 000006
【図５】
2019115556.tif 000007
【図６】
2019115556.tif 000008